(57)【要約】【課題】  チェンバーの内部の流体圧力を短時間で適正に維持できるようにする。運搬，移動を容易にする。【解決手段】  非可撓性，非通気性の材料で人体が仰臥姿勢で収容されるチェンバー１が形成され、チェンバー１は複数に分割可能で分割面が気密に接続可能である。【選択図】        図１
2009297046.tif 000002
【特許請求の範囲】
【請求項１】
非可撓性，非通気性の材料で人体が仰臥姿勢で収容されるチェンバーが形成され、チェンバーは複数に分割可能で分割面が気密に接続可能であることを特徴とするカプセル装置。
【請求項２】
請求項１のカプセル装置において、チェンバーはパネル材とパネル材の内側面に配設されたフレーム材とからなり、チェンバーの分割面にはフレーム材が気密に当接されるように配置されていることを特徴とするカプセル装置。
【請求項３】
請求項１または２のカプセル装置において、チェンバーの仰臥した人体の顔部に対面する位置に外部を透視可能な窓が設けられ、窓はチェンバーの内部からカッタで切断可能な材質で形成されていることを特徴とするカプセル装置。  
【請求項４】
請求項１〜３のいずれかのカプセル装置において、チェンバーは採光のための小窓が多数設けられていることを特徴とするカプセル装置。
【請求項５】
請求項１〜４のいずれかのカプセル装置において、チェンバーはヒンジによって開閉可能に組立てられていることを特徴とするカプセル装置。
【請求項６】
請求項５のカプセル装置において、チェンバーは内部，外部の双方から開閉をロック，ロック解除することのできるハンドルが設けられていることを特徴とするカプセル装置。
【請求項７】
請求項１〜４のいずれかのカプセル装置において、チェンバーは内部の仰臥した人体の手部の届く位置に内部環境を調整するための操作部が設置されていることを特徴とするカプセル装置。
【発明の詳細な説明】
【技術分野】
【０００１】
本発明は、人体を特殊な流体圧雰囲気下におくためのカプセル装置に係る技術分野に属する。
【背景技術】
【０００２】
最近、人体を高濃度，高気圧の空気又は酸素の雰囲気下におくと、怪我の快復の促進やリラクゼーション効果が得られることが研究発表されている。このため、人体をこのような流体圧雰囲気下におくための装置、設備の開発が要望されている。
【０００３】
従来、人体を高濃度，高気圧の酸素の雰囲気下におく技術としては、例えば、以下に記載のものが知られている。
【特許文献１】特開２００５−３１９０７７号公報  特許文献１には、可撓性，非通気性の材料で人体が仰臥姿勢で収容される筒形のチェンバーが形成されたカプセル装置が記載されている。
【発明の開示】
【発明が解決しようとする課題】
【０００４】
特許文献１に係るカプセル装置では、チェンバーが可撓性を有する材料で形成されて膨縮性があるため、チェンバーの内部の流体圧力を適正に維持することが困難であるという問題点がある。また、収縮したチェンバーを膨張させて所定の形状にセットアップするまでの準備時間がかかりすぎるという問題点がある。また、チェンバーが人体を仰臥姿勢で収容することのできる大きな容積を備えているため、運搬，移動が面倒であるという問題点がある。
【０００５】
本発明は、このような問題点を考慮してなされたもので、チェンバーの内部の流体圧力を短時間で適正に維持することができ、運搬，移動が容易なカプセル装置を提供することを課題とする。
【課題を解決するための手段】
【０００６】
前述の課題を解決するため、本発明に係るカプセル装置は、特許請求の範囲の各請求項に記載の手段を採用する。
【０００７】
即ち、請求項１では、非可撓性，非通気性の材料で人体が仰臥姿勢で収容されるチェンバーが形成され、チェンバーは複数に分割可能で分割面が気密に接続可能であることを特徴とする。
【０００８】
この手段では、チェンバーが非可撓性を有する材料で形成されて膨縮性が排除される。また、チェンバーが分割可能とされ人体を仰臥姿勢で収容することのできる大きな容積を消失させることができる。
【０００９】
また、請求項２では、請求項１のカプセル装置において、チェンバーはパネル材とパネル材の内側面に配設されたフレーム材とからなり、チェンバーの分割面にはフレーム材が気密に当接されるように配置されていることを特徴とする。
【００１０】
この手段では、フレーム材を当接させることでチェンバーが組立てられる。
【００１１】
また、請求項３では、請求項１または２のカプセル装置において、チェンバーの仰臥した人体の顔部に対面する位置に外部を透視可能な窓が設けられ、窓はチェンバーの内部からカッタで切断可能な材質で形成されていることを特徴とする。
【００１２】
この手段では、外部を透視可能な窓によって閉塞感が解消される。また、チェンバーの内部からカッタで切断可能な材質で形成され、緊急時に窓から脱出可能となる。また、窓によって緊急時にチェンバーの内外部の通気が確保される。
【００１３】
また、請求項４では、請求項１〜３のいずれかのカプセル装置において、チェンバーは採光のための小窓が多数設けられていることを特徴とする。
【００１４】
この手段では、小窓からの採光によって閉塞感が解消される。
【００１５】
また、請求項５では、請求項１〜４のいずれかのカプセル装置において、チェンバーはヒンジによって開閉可能に組立てられていることを特徴とする。
【００１６】
この手段では、チェンバーが使用者（人体）の出入りのために開閉される。
【００１７】
また、請求項６では、請求項５のカプセル装置において、チェンバーは内部，外部の双方から開閉をロック，ロック解除することのできるハンドルが設けられていることを特徴とする。
【００１８】
この手段によると、チェンバーの開閉のロック，ロック解除が内部，外部の双方から操作される。
【００１９】
また、請求項７では、請求項１〜４のいずれかのカプセル装置において、チェンバーは内部の仰臥した人体の手部の届く位置に内部環境を調整するための操作部が設置されていることを特徴とする。
【００２０】
この手段では、操作部によって使用者が積極的に内部環境を調整することができる。
【発明の効果】
【００２１】
本発明に係るカプセル装置は、チェンバーが非可撓性を有する材料で形成されて膨縮性が排除されるため、チェンバーの内部の流体圧力を短時間で適正に維持することができる効果がある。また、チェンバーが分割可能とされ人体を仰臥姿勢で収容することのできる大きな容積を消失させることができるため、運搬，移動が容易になる効果がある。
【発明を実施するための最良の形態】
【００２２】
以下、本発明に係るカプセル装置を実施するための最良の形態を図面に基づいて説明する。
【００２３】
図１〜図６は、本発明に係るカプセル装置を実施するための最良の形態の第１例を示すものである。
【００２４】
第１例は、図１に示すように、チェンバー１に電気系制御部２，流体系制御部３，中央制御操作部４が接続された設置構成となっている。
【００２５】
チェンバー１は、アルミニウム等の耐腐食性を有する軽量の金属材で形成されたパネル材１ａ，フレーム材１ｂ，１ｃからなる。パネル材１ａは、図２に示すように、金属薄板によって例えば４半円筒形に分割されて形成され、分割の４部分が組立てられて人体Ｍを仰臥した状態で収容することのできる容積を有した繭形の円筒形になるようになっている。フレーム材１ｂ，１ｃは、金属角板によってパネル材１ａの内側面に配設され、パネル材１ａの分割の４部分の分割面に配置されて組立ての際に気密に当接されるようになっている。このフレーム材１ｂ，１ｃは、パネル材１ａを保形，補強してチェンバー１の全体に剛性をもたせるものであるが、軽量化のために全体的に断面が中空のチャンネル形状に形成されるとともに多数の抜孔１ｄ，１ｅが穿孔されている。後述するように固定的に連結されるフレーム材１ｂに設けられた抜孔１ｄについては、フレーム材１ｂを気密に当接して組立てる際にボルト，ナット等の締付部材（図示せず）の挿通孔としても利用することができる。
【００２６】
さらに、チェンバー１には、パネル材１ａの収容された人体Ｍの顔部に対面する位置に窓１ｆが設けられている。窓１ｆは、透明または半透明の材料で形成されてパネル材１ａに開口された窓孔に気密に取付けられ、使用者（人体Ｍ）がチェンバー１の内部から外部を透視することができて閉塞感を感じないようにするものである。なお、この窓１ｆについては、内部からカッタで切断可能な材質として、緊急時にチェンバー１の内外部の通気が確保されるようにしている。また、窓１fのパネル材１aが硬い素材の場合には、内側からねじを緩めて脱出できるようにされている。
【００２７】
さらに、チェンバー１には、パネル材１ａの適当箇所に採光のための小窓１ｇが多数設けられている。小窓１ｇは、透明または半透明の材料で形成されてパネル材１ａに開口された窓孔に気密に取付けられ、収容された人体Ｍに外部の光を当てて閉塞感を感じないようにするものである。
【００２８】
チェンバー１は、パネル材１ａ，フレーム材１ｂ，１ｃが組立てられて架台５の上に設置される。組立てられたチェンバー１は、使用者の出入りのためにヒンジ６で上下に分割の２部分ずつが締付部材で開閉可能に固定的に連結されるとともに、ロック部７で上下の分割の２部分ずつがロックされ不測の開放が避けられるようになっている。ヒンジ６は、図３に示すように、チェンバー１の軸方向の端部（収容された人体Ｍの足部側）に配置され、上側の分割の２部分を起伏回動させて開閉を可能にする。ロック部７は、図５，図６に詳細に示されるように、チェンバー１の上側の分割の２部分のフレーム材１ｃの内側に下方へ突出する状態で取付けられたＬ字形の係合溝７ａと、係合溝７ａに係合着脱可能な円柱形の係合突起７ｂと、チェンバー１の下側の分割の２部分のフレーム材１ｃの内側にスライドローラ７ｃを介してスライド可能に支持され係合突起７ｂが掛渡し取付けされたコ字形のスライダ７ｄとからなる。ロック部７のスライダ７ｄは、チェンバー１の軸方向の端部（収容された人体Ｍの頭部側）に取付けられたハンドル８で駆動操作される。ハンドル８は、チェンバー１の外側に配置された外ハンドル８ａと、チェンバー１の内側に配置された内ハンドル８ｂと、外ハンドル８ａ，内ハンドル８ｂを同軸に連結する回動軸８ｃと、回動軸８ｃに螺旋状に刻設された操作溝８ｄとからなるもので、チェンバー１の開閉のロック，ロック解除が内部，外部の双方から操作される安全性が確保されている。ハンドル８の操作溝８ｄは、ロック部７のスライダ７ｄの一部が係合され、外ハンドル８ａ，内ハンドル８ｂの回転操作による回動軸８ｃの回動でロック部７のスライダ７ｄをスライド駆動する。
【００２９】
さらに、組立てられたチェンバー１には、人体Ｍを仰臥状態で載せるベット９が収容される。ベット９は、複数に分割されて組立てられるもので、床面９ａの周囲を壁面９ｂで囲んだ箱形に形成され、床面９ａ，壁面９ｂに通気孔９ｃが開口されている。なお、図示しないが、チェンバー内部には例えばＬＥＤを設置し、リラクゼーション効果を向上させることも可能である。
【００３０】
電気系制御部２は、チェンバー１の内部に設置されたセンサ類に接続され電気的な各種の制御を行うものである。
【００３１】
流体系制御部３は、チェンバー１の内部を必要な流体圧雰囲気下におくための流体ボンベ，バルブ等からなる。必要な流体圧雰囲気として、高濃度，高気圧の酸素にマイナスイオン，芳香剤等を加えることができる。
【００３２】
中央制御操作部４は、パーソナルコンピュータ等からなるもので、電気系制御部２，流体系制御部３に接続されて、チェンバー１の内部状況をモニタしながら自動的または手動的に制御する。
【００３３】
さらに、中央制御操作部４を介してチェンバー１の内部に仰臥した人体Ｍの手部の届く位置に内部環境を調整するための操作部１０が設置される。操作部１０については、中央制御操作部４の全ての制御を実行可能にすることで、操作専門員を必要とせずに使用者自身が各種の制御を実行することができる。なお、操作部１０には、外部から人体Ｍを観察するためのカメラやチェンバーの内外部のコンタクトを確保するマイク，スピーカ等を含めることもできる。
【００３４】
第１例によると、チェンバー１のパネル材１ａ，フレーム材１ｂが非可撓性を有する材料で形成されて膨縮性が排除されるため、チェンバー１の内部の流体圧力を適正に維持することができる。従って、怪我の快復の促進やリラクゼーション効果を有効に得ることができる。
【００３５】
また、チェンバー１が分割可能とされ人体Ｍを仰臥姿勢で収容することのできる大きな容積を消失させることができるため、チェンバー１の運搬，移動が容易になる。従って、自動車に載せて必要な箇所に運んで設置して使用する等のようにレンタル的，臨時的な使用が可能になる。なお、組立てられたチェンバー１では、フレーム材１ｂの当接で気密性が確保されるため、特殊な流体圧雰囲気下の形成に何等支障はない。
【００３６】
図７は、本発明に係るカプセル装置を実施するための最良の形態の第２例を示すものである。
【００３７】
第２例は、第１例のヒンジ７をチェンバー１の側面部に配置してある。
【００３８】
第２例によると、チェンバー１の上側の分割の２部分の起伏回動域を小さくすることができる。
【００３９】
図８は、本発明に係るカプセル装置を実施するための最良の形態の第３例を示すものである。
【００４０】
第３例は、第２例のチェンバー１の上下の分割面を傾斜させている。
【００４１】
第３例によると、チェンバー１への出入りの際に使用者が下側の分割の２部分を大きく跨ぐ必要がなくなるため、チェンバー１への出入りが容易になる。
【００４２】
以上、図示した各例の外に、チェンバー１を４分割以外の分割構造とすることも可能である。
【００４３】
さらに、チェンバー１を複数箇所で複数方向に開閉可能にすることも可能である。
【産業上の利用可能性】
【００４４】
本発明に係るカプセル装置は、人体を特殊な流体圧雰囲気下におくこと以外に、チェンバーの気密性を水密性として利用する等して、適当な設備を付設することで、人体の洗浄，消毒，治療等の用途に供することも可能である。
【図面の簡単な説明】
【００４５】
【図１】本発明に係るカプセル装置を実施するための最良の形態の第１例の設置状態の斜視図である。
【図２】図１の要部の分解図である。
【図３】図１の要部の側面図である。
【図４】図１の要部の側面図である。
【図５】図１の要部の開放状態の平面図である。
【図６】図５の一部拡大斜視図である。
【図７】本発明に係るカプセル装置を実施するための最良の形態の第２例の側面図である。
【図８】本発明に係るカプセル装置を実施するための最良の形態の第３例の側面図である。
【符号の説明】
【００４６】
１            チェンバー
１ａ          パネル材
１ｂ，１ｃ    フレーム材
１ｆ          窓
１ｇ          小窓
６            ヒンジ
７            ロック部
８            ハンドル
１０          操作部
Ｍ            人体
【図１】
2009297046.tif 000003
【図２】
2009297046.tif 000004
【図３】
2009297046.tif 000005
【図４】
2009297046.tif 000006
【図５】
2009297046.tif 000007
【図６】
2009297046.tif 000008
【図７】
2009297046.tif 000009
【図８】
2009297046.tif 000010